(57)【要約】【課題】空調装置において、使用者がユーティリティの消費量を強く実感することができるように構成する。【解決手段】使用者が貨幣を投入することができる投入部３６と、投入部３６に投入された貨幣を貯留する貯留部とを備える。作動に伴って消費されたユーティリティの量を消費量として検出し、ユーティリティの消費量及び単価に基づいて消費金額を演算する。投入部３６に投入された貨幣の金額及び消費金額に基づいて残り金額を演算して、残り金額を表示手段２０，２１に表示させる。【選択図】図３
2017156022.tif 000002
【特許請求の範囲】
【請求項１】
使用者が貨幣を投入することができる投入部と、前記投入部に投入された貨幣を貯留する貯留部とを備え、
ユーティリティを消費することにより空調対象空間の空気の温度を調節する温度調節手段と、前記温度調節手段の作動に伴って消費されたユーティリティの量を消費量として検出する検出手段とを備えて、
前記温度調節手段の作動に伴って前記消費量及びユーティリティの単価に基づいて消費金額を演算する消費金額演算手段と、
前記投入部に投入された貨幣の金額及び前記消費金額に基づいて残り金額を演算して、前記残り金額を表示手段に表示させる残り金額演算手段を備えている空調装置。
【請求項２】
前記残り金額及びユーティリティの単価に基づいて、前記残り金額に相当するユーティリティの量を使用可能量として演算する使用可能量演算手段を備え、
前記残り金額演算手段を停止させた状態で、ユーティリティの使用を前記使用可能量に制限しないという条件下において、前記温度調節手段を作動させる第１運転モードと、
前記残り金額演算手段を作動させた状態で、ユーティリティの使用を前記使用可能量に制限するという条件下において、前記温度調節手段を作動させる第２運転モードとを備えて、
使用者の操作により前記第１及び第２運転モードのうちの一つを選択する選択部を備えている請求項１に記載の空調装置。
【請求項３】
前記残り金額及びユーティリティの単価に基づいて、前記残り金額に相当するユーティリティの量を使用可能量として演算する使用可能量演算手段を備え、
前記残り金額演算手段を停止させた状態で、ユーティリティの使用を前記使用可能量に制限しないという条件下において、前記温度調節手段を作動させる第１運転モードと、
前記残り金額演算手段を作動させた状態で、ユーティリティの使用を前記使用可能量に制限するという条件下において、前記温度調節手段を作動させる第２運転モードと、
前記残り金額演算手段を作動させた状態で、ユーティリティの使用を前記使用可能量に制限しないという条件下において、前記温度調節手段を作動させる第３運転モードとを備えて、
使用者の操作により前記第１，２，３運転モードのうちの一つを選択する選択部を備えている請求項１に記載の空調装置。
【請求項４】
前記第２運転モードにおいて、
前記残り金額が零になると前記温度調節手段を停止させることを、ユーティリティの使用を前記使用可能量に制限するという条件としている請求項２又は３に記載の空調装置。
【請求項５】
前記第２運転モードにおいて、
前記残り金額が零以下になっても前記温度調節手段の作動の継続を許容し、前記温度調節手段の再作動を禁止することを、ユーティリティの使用を前記使用可能量に制限するという条件としている請求項２又は３に記載の空調装置。
【請求項６】
前記第２運転モードにおいて、
使用者により前記温度調節手段が停止された場合、前記表示手段は、前記残り金額の表示を設定時間だけ維持し、前記設定時間が経過すると前記残り金額の表示を停止する請求項２〜５のうちのいずれか一つに記載の空調装置。
【発明の詳細な説明】
【技術分野】
【０００１】
本発明は、暖房装置や冷房装置等のように、ユーティリティ（ガスや灯油、電力等）を消費することにより、部屋等の空調対象空間の空気の温度を調節する空調装置に関する。
【背景技術】
【０００２】
使用者が空調装置において設定温度を設定することにより、部屋（空調対象空間に相当）の温度が設定温度に維持されるように作動する空調装置が多くある。
近年では省エネルギーの観点から、特許文献１に開示されているように、ユーティリティの消費量を検出して、ユーティリティの消費量を表示するように構成された空調装置がある。これにより、使用者は、ユーティリティの消費量を実感することができる。
【先行技術文献】
【特許文献】
【０００３】
【特許文献１】特開２０１１−１１７６５９号公報
【発明の概要】
【発明が解決しようとする課題】
【０００４】
例えば石油暖房装置のように、ユーティリティとして灯油を使用する場合には、使用者が販売店等で灯油を購入するので、ユーティリティの使用量を実感することができる。
これに対して、ガスファンヒータや電気ストーブ等のように、ユーティリティとして都市ガスや電気を使用する場合には、使用者が販売店等で都市ガスや電気を購入することはないので、使用者がユーティリティの使用量を実感することは少ない。
【０００５】
これにより、省エネルギーの意識の高まりによって、使用者がユーティリティの消費量を強く実感することができるようにしたいという要望が高まっている。
本発明は、空調装置において、使用者がユーティリティの消費量を強く実感することができるように構成することを目的としている。
【課題を解決するための手段】
【０００６】
本発明の特徴は、空調装置において次のように構成することにある。
使用者が貨幣を投入することができる投入部と、前記投入部に投入された貨幣を貯留する貯留部とを備え、
ユーティリティを消費することにより空調対象空間の空気の温度を調節する温度調節手段と、前記温度調節手段の作動に伴って消費されたユーティリティの量を消費量として検出する検出手段とを備えて、
前記温度調節手段の作動に伴って前記消費量及びユーティリティの単価に基づいて消費金額を演算する消費金額演算手段と、
前記投入部に投入された貨幣の金額及び前記消費金額に基づいて残り金額を演算して、前記残り金額を表示手段に表示させる残り金額演算手段を備えている。
【０００７】
本発明の特徴によると、使用者が所定の金額の貨幣を投入部に投入した状態で、温度調節手段の作動によりユーティリティが消費されると、消費されたユーティリティの量が消費量として検出されて、ユーティリティの消費量及びユーティリティの単価に基づいて消費金額が演算され、投入部に投入された貨幣の金額及び消費金額に基づいて残り金額が演算されて、残り金額が表示される。
【０００８】
以上のように、温度調節手段の作動（ユーティリティの消費）により残り金額が減少するので、使用者は減少した残り金額を目視することにより、ユーティリティの消費量を強く実感することができる。これにより、使用者の省エネルギーの意識が高くなる。
温度調節手段の作動（ユーティリティの消費）に伴って残り金額が減少するのに対し、使用者が貨幣を投入部に投入することにより、貨幣が貯留部に貯まっていくので、使用者にとって貯金という楽しみが生じる。
【０００９】
本発明の特徴は、空調装置において次のように構成することにある。
前記残り金額及びユーティリティの単価に基づいて、前記残り金額に相当するユーティリティの量を使用可能量として演算する使用可能量演算手段を備え、
前記残り金額演算手段を停止させた状態で、ユーティリティの使用を前記使用可能量に制限しないという条件下において、前記温度調節手段を作動させる第１運転モードと、
前記残り金額演算手段を作動させた状態で、ユーティリティの使用を前記使用可能量に制限するという条件下において、前記温度調節手段を作動させる第２運転モードとを備えて、
使用者の操作により前記第１及び第２運転モードのうちの一つを選択する選択部を備えている。
【００１０】
本発明の特徴によると、残り金額及びユーティリティの単価に基づいて、残り金額に相当するユーティリティの量が、使用可能量として演算される。
使用者にとって前述のような残り金額の表示が必要でない場合、使用者は第１運転モードを選択すればよい。これにより、残り金額演算手段を停止させた状態で、使用可能量に関係なく、温度調節手段を連続して作動させることができる。
【００１１】
使用者にとって前述のような残り金額の表示が必要である場合、使用者は第２運転モードを選択すればよい。これにより、残り金額演算手段を作動させた状態で、ユーティリティの使用を使用可能量に制限するという条件下において、温度調節手段を作動させることができる。
以上のように、空調対象空間の状態や空調装置の状態等に応じて、使用者は第１及び第２運転モードを選択することができるので、汎用性の高い空調装置が得られる。
【００１２】
本発明の特徴は、空調装置において次のように構成することにある。
前記残り金額及びユーティリティの単価に基づいて、前記残り金額に相当するユーティリティの量を使用可能量として演算する使用可能量演算手段を備え、
前記残り金額演算手段を停止させた状態で、ユーティリティの使用を前記使用可能量に制限しないという条件下において、前記温度調節手段を作動させる第１運転モードと、
前記残り金額演算手段を作動させた状態で、ユーティリティの使用を前記使用可能量に制限するという条件下において、前記温度調節手段を作動させる第２運転モードと、
前記残り金額演算手段を作動させた状態で、ユーティリティの使用を前記使用可能量に制限しないという条件下において、前記温度調節手段を作動させる第３運転モードとを備えて、
使用者の操作により前記第１，２，３運転モードのうちの一つを選択する選択部を備えている。
【００１３】
本発明の特徴によると、残り金額及びユーティリティの単価に基づいて、残り金額に相当するユーティリティの量が、使用可能量として演算される。
使用者にとって前述のような残り金額の表示が必要でない場合、使用者は第１運転モードを選択すればよい。これにより、残り金額演算手段を停止させた状態で、使用可能量に関係なく、温度調節手段を連続して作動させることができる。
【００１４】
使用者にとって前述のような残り金額の表示が必要である場合、使用者は第２又は第３運転モードを選択すればよい。
使用者が第２運転モードを選択すると、残り金額演算手段を作動させた状態で、ユーティリティの使用を使用可能量に制限するという条件下において、温度調節手段を作動させることができる。
使用者が第３運転モードを選択すると、残り金額演算手段を作動させた状態で、使用可能量に関係なく、温度調節手段を連続して作動させることができる。
以上のように、空調対象空間の状態や空調装置の状態等に応じて、使用者は第１，２，３運転モードを選択することができるので、汎用性の高い空調装置が得られる。
【００１５】
本発明の特徴は、空調装置において次のように構成することにある。
前記第２運転モードにおいて、
前記残り金額が零になると前記温度調節手段を停止させることを、ユーティリティの使用を前記使用可能量に制限するという条件としている。
【００１６】
本発明の特徴によると、使用者が第２運転モードを選択した状態において、温度調節手段を作動させると、温度調節手段の作動（ユーティリティの消費）により残り金額が減少するのであり、ユーティリティの使用（消費）が使用可能量に達すると、残り金額が零となって、温度調節手段が自動的に停止する。
これにより、使用者はユーティリティの使用（消費）が使用可能量に達したことを認識することができるのであり、必要以上の温度調節手段の作動（ユーティリティの消費）を止めることができる。
【００１７】
本発明の特徴は、空調装置において次のように構成することにある。
前記第２運転モードにおいて、
前記残り金額が零以下になっても前記温度調節手段の作動の継続を許容し、前記温度調節手段の再作動を禁止することを、ユーティリティの使用を前記使用可能量に制限するという条件としている。
【００１８】
本発明の特徴によると、使用者が第２運転モードを選択した状態において、温度調節手段を作動させると、温度調節手段の作動（ユーティリティの消費）により残り金額が減少するのであり、ユーティリティの使用（消費）が使用可能量に達すると、残り金額が零となる。この後、使用者が温度調節手段を停止させた場合、温度調節手段の再作動を行うことができない。
これにより、使用者はユーティリティの使用（消費）が使用可能量に達したことを認識することができるのであり、必要以上の温度調節手段の作動（ユーティリティの消費）を止めることができる。
【００１９】
本発明の特徴は、空調装置において次のように構成することにある。
前記第２運転モードにおいて、
使用者により前記温度調節手段が停止された場合、前記表示手段は、前記残り金額の表示を設定時間だけ維持し、前記設定時間が経過すると前記残り金額の表示を停止する。
【００２０】
本発明の特徴によると、使用者が第２運転モードを選択した状態において、温度調節手段停止させた場合、直ちに残り金額の表示が停止するのではなく、残り金額の表示が設定時間だけ維持されてから停止する。
これにより、使用者が温度調節手段を停止させた際に、比較的余裕をもって残り金額を目視することができるのであり、残り金額の確認を容易に行うことができる。
【図面の簡単な説明】
【００２１】
【図１】温風暖房装置の縦断正面図である。
【図２】温風暖房装置の縦断側面図である。
【図３】温風暖房装置における運転操作パネルの平面図である。
【図４】温風暖房装置における制御装置と各部との連係状態を示す概略図である。
【図５】温風暖房装置における停止状態の制御の流れを示す図である。
【図６】温風暖房装置における単価モードの制御の流れを示す図である。
【図７】温風暖房装置における第１運転モード（運転状態）の制御の流れを示す図である。
【図８】温風暖房装置における第２運転モード（運転状態）及び第３運転モード（運転状態）の制御の流れを示す図である。
【図９】温風暖房装置における第２運転モード（停止状態）及び第３運転モード（停止状態）の制御の流れを示す図である。
【図１０】発明の実施の第１別形態において、温風暖房装置における第２運転モード（運転状態）の制御の流れを示す図である。
【発明を実施するための形態】
【００２２】
本発明を空調装置の一例である温風暖房装置に適用した場合について、以下のように説明する。
本発明の実施形態における前後及び左右は、特段の説明がない限り、以下のように記載している。吹き出し口４が備えられた側が筐体１（温風暖房装置）の「前」であり、吸い込み口３が備えられた側が筐体１（温風暖房装置）の「後」である。筐体１の後側から前側を視た状態で、右側が筐体１（温風暖房装置）の「右」であり、左側が筐体１（温風暖房装置）の「左」である。
【００２３】
［１］
温風暖房装置の全体構成について説明する。
図１及び図２に示すように、筐体１の内部に、ガスＧ（ユーティリティに相当）を燃焼させる燃焼器２（温度調節手段に相当）、燃焼器２にガスＧを供給するガス供給系、筐体１の後部に備えられた吸い込み口３、筐体１の前部の下部に備えられた吹き出し口４、筐体１の下部に備えられたファン５及びファンを駆動するモータ６、筐体１の上部に備えられた運転操作パネル７、制御装置８等を備えて、温風暖房装置が構成されている。
【００２４】
図１及び図２に示すように、ガス供給系は、筐体１の外部からホース（図示せず）により供給されるガスＧを燃焼器２に供給するガス流路９により構成されており、ガス流路９に、ガスＧの流量を調節する電磁操作式の流量制御弁１０、電磁操作式の第１開閉弁１１及び第２開閉弁１２等が備えられている。
燃焼器２に、箱状の燃焼室１３、ガス流路９からのガスを燃焼室１３に供給する供給部１４、点火器１５、燃焼が行われているか否かを検出する火炎センサー１６等が備えられている。
【００２５】
以上の構造により、図１及び図２に示すように、筐体１の外部の空気Ａ１が吸い込み口３から筐体１の内部に吸い込まれると、空気Ａ１が上側の空気Ａ２と下側の空気Ａ３とに分かれて、上側の空気Ａ２は燃焼器２の上側に流れる。
ガス流路９から供給部１４の入口１４ａにガスＧが供給されるのに伴って、下側の空気Ａ３も供給部１４の入口１４ａに吸い込まれるのであり、ガスＧ及び下側の空気Ａ３が燃焼室１３に供給されて、ガスＧが燃焼する。
図１及び図２に示すように、燃焼器２から温かい空気Ａ４が上昇して、上側の空気Ａ２と温かい空気Ａ４とが合流し、合流した温かい空気Ａ５が下降してファン５に供給され、ファン５により温かい空気Ａ５が吹き出し口４から前側に吹き出される。
【００２６】
図２に示すように、筐体１の内部において吸い込み口３の近傍に、室温センサー２２が備えられており、吸い込み口３から筐体１の内部に吸い込まれた筐体１の外部の空気Ａ１の温度を、部屋の温度（室温）として検出する。燃焼器２とファン５との間に、温かい空気Ａ５の温度を検出する温風温度センサー２３が備えられている。
【００２７】
［２］
次に、運転操作パネル７について説明する。
図１に示すように、筐体１の上部に運転操作パネル７が備えられている。図３に示すように、運転操作パネル７に、運転／停止スイッチ１７、運転表示ランプ１８、温度設定スイッチ１９、室温表示部２０（表示手段に相当）、目標温度表示部２１（表示手段に相当）、モード切換スイッチ３１（選択部に相当）、モード設定スイッチ３２（選択部に相当）、第１／第２運転モードランプ３３、第３運転モードランプ３４、単価モードランプ３５、硬貨の投入部３６が備えられている。
【００２８】
図１及び図３に示すように、使用者は投入部３６に硬貨を投入することができる。投入された硬貨の種類及び個数を検出する硬貨検出部３７が備えられており、投入部３６に投入された硬貨を貯留する貯留部３８が備えられている。
【００２９】
図３に示すように、運転／停止スイッチ１７は押し操作される毎に、温風暖房装置の運転状態及び停止状態の操作信号が交互に発信される。運転表示ランプ１８は、温風暖房装置が運転状態であると点灯し、温風暖房装置が停止状態であると消灯する。
【００３０】
図３に示すように、温度設定スイッチ１９は目標温度を設定するものであり、温度設定スイッチ１９の上昇側部分を押し操作すると、目標温度が１℃だけ上昇し、温度設定スイッチ１９の下降側部分を押し操作すると、目標温度が１℃だけ下降する。
【００３１】
図３に示すように、室温表示部２０は液晶パネルによって構成されており、温風暖房装置が設置された部屋（空調対象空間に相当）の温度が、室温として表示される。目標温度表示部２１は液晶パネルによって構成されており、目標温度が表示される。室温表示部２０及び目標温度表示部２１には、室温及び目標温度以外に、後述する残り金額等が表示される。
【００３２】
［３］
次に、制御構成について説明する。
図４に示すように、運転制御手段２４、検出手段２５、表示制御手段２６（表示手段に相当）、消費金額演算手段２７、残り金額演算手段２８、使用可能量演算手段２９が、ソフトウェアとして制御装置８に備えられており、残り金額の記憶部３０が制御装置８に備えられている。
【００３３】
図４に示すように、運転／停止スイッチ１７、温度設定スイッチ１９、モード切換スイッチ３１、モード設定スイッチ３２の操作信号、室温センサー２２、温風温度センサー２３及び硬貨検出部３７の検出信号が制御装置８に入力されている。
【００３４】
図４に示すように、制御装置８において、運転制御手段２４により、第１及び第２開閉弁１１，１２、点火器１５、流量制御弁１０、モータ６が操作されて、燃焼器２の作動（燃焼）の制御が行われる。表示制御手段２６により、運転表示ランプ１８、室温表示部２０、目標温度表示部２１、第１／第２運転モードランプ３３、第３運転モードランプ３４及び単価モードランプ３５が操作される。
以上の運転制御手段２４、検出手段２５、表示制御手段２６、消費金額演算手段２７、残り金額演算手段２８、使用可能量演算手段２９及び記憶部３０の作動について、以下の［４］〜［１０］において説明する。
【００３５】
［４］
次に、温風暖房装置における第１運転モード、第２運転モード、第３運転モード及び単価モードの設定について説明する。
制御装置８に、第１運転モード（後述の［６］参照）、第２運転モード（後述の［７］［８］［９］参照）、第３運転モード（後述の［１０］参照）及び単価モード（後述の［５］参照）が設定されている。温風暖房装置の停止状態において、モード切換スイッチ３１及びモード設定スイッチ３２を以下の説明のように押し操作することにより、第１、第２、第３運転モード及び単価モードのうちの一つを設定する。
【００３６】
図３に示すように、モード切換スイッチ３１を押し操作すると、第１／第２運転モードランプ３３が点滅（点灯）する。次にモード切換スイッチ３１を押し操作すると、第３運転モードランプ３４が点滅するのであり、もう一度、モード切換スイッチ３１を押し操作すると、単価モードランプ３５が点滅する。
以上のように、モード切換スイッチ３１を押し操作するごとに、第１／第２運転モードランプ３３の点滅状態（点灯状態）、第３運転モードランプ３４の点滅状態、単価モードランプ３５の点滅状態が、順番に繰り返される。
【００３７】
図３に示すように、第１／第２運転モードランプ３３の点滅状態において、モード設定スイッチ３２を押し操作すると、第１／第２運転モードランプ３３の点灯状態となり次に消灯して、第２運転モードが設定される。
【００３８】
図３に示すように、第２運転モードの設定状態において、モード切換スイッチ３１を押し操作すると、第２運転モードの設定状態の確認の為に、第１／第２運転モードランプ３３が点灯状態となる。第１／第２運転モードランプ３３の点灯状態において、モード設定スイッチ３２を押し操作すると、第１／第２運転モードランプ３３が消灯して、第１運転モードが設定される。
【００３９】
図３に示すように、第３運転モードランプ３４の点滅状態において、モード設定スイッチ３２を押し操作すると、第３運転モードランプ３４の点灯状態となり次に消灯して、第３運転モードが設定される。
【００４０】
［５］
次に、温風暖房装置の停止状態において投入部３６に硬貨を投入した状態、及びガスＧの単価を設定する単価モードについて、図５及び図６に基づいて説明する。
温風暖房装置の停止状態において、投入部３６に硬貨を投入すると（ステップＳ１）、  投入された硬貨の種類及び個数が硬貨検出部３７により検出される。硬貨検出部３７の検出信号に基づいて、残り金額演算手段２８により、投入された硬貨の金額（投入金額）が検出され（ステップＳ２）、記憶部３０に記憶されている残り金額に投入金額が加算されて（ステップＳ３）、新たな残り金額が記憶部３０に更新及び記憶される（ステップＳ４）。
【００４１】
前述のように投入部３６に硬貨を投入すると、表示制御手段２６により、室温表示部２０及び目標温度表示部２１に、記憶部３０に記憶された残り金額が表示されるのであり、設定時間（例えば数秒）が経過すると残り金額の表示が消える（ステップＳ５）。
【００４２】
温風暖房装置の停止状態において、前項［４］に記載のモード切換スイッチ３１及びモード設定スイッチ３２の押し操作を行って、単価モードを設定すると（ステップＳ６，Ｓ７）、単価モードランプ３５が点滅状態となり（ステップＳ２１）、以前に設定されたガスＧの単価が、室温表示部２０及び目標温度表示部２１に点滅状態で表示される。
【００４３】
これにより、温度設定スイッチ１９の上昇側部分及び下降側部分を押し操作することにより、ガスＧの単価を所望の単価に変更することができるのであり（ステップＳ２２）、変更されたガスＧの単価が室温表示部２０及び目標温度表示部２１に点滅状態で表示される（ステップＳ２３）。
【００４４】
所望のガスＧの単価が室温表示部２０及び目標温度表示部２１に表示された状態において、モード設定スイッチ３２を押し操作すると（ステップＳ２４）、単価モードランプ３５が点灯状態となり、次に単価モードランプ３５、室温表示部２０及び目標温度表示部２１が消灯して（ステップＳ２５）、ガスＧの単価が設定される（ステップＳ２６）。
【００４５】
［６］
次に、第１運転モードについて、図７に基づいて説明する。
第１運転モードを設定した状態において、運転／停止スイッチ１７を押し操作して運転状態とすると、運転制御手段２４により、第１及び第２開閉弁１１，１２が開位置に操作されて、点火器１５により燃焼器２が点火され、モータ６が作動して、温風暖房装置の運転状態となる。
【００４６】
これによって、運転制御手段２４により流量制御弁１０が操作されて、燃焼器２が最大加熱能力で作動するのであり（制御されるのであり）、室温が目標温度になると、室温が目標温度に維持されるように、燃焼器２が作動する（制御される）（ステップＳ３５）。
【００４７】
第１運転モードにおいて、温度設定スイッチ１９の上昇側部分及び下降側部分を押し操作することにより（ステップＳ３１）、目標温度を変更することができるのであり、変更された目標温度が目標温度表示部２１に表示される（ステップＳ３２）。これと同時に、室温センサー２２により室温の検出が行われて（ステップＳ３３）、室温が室温表示部２０に表示される（ステップＳ３４）。
【００４８】
第１運転モードにおいて、投入部３６に硬貨を投入すると（ステップＳ３６）、投入された硬貨の種類及び個数が硬貨検出部３７に検出される。硬貨検出部３７の検出信号に基づいて、残り金額演算手段２８により、投入された硬貨の金額（投入金額）が検出され（ステップＳ３７）、記憶部３０に記憶されている残り金額に投入金額が加算されて（ステップＳ３８）、新たな残り金額が記憶部３０に更新及び記憶される（ステップＳ３９）。
【００４９】
前述のように投入部３６に硬貨を投入すると、表示制御手段２６により、室温表示部２０及び目標温度表示部２１において、室温及び目標温度の表示が消えて、記憶部３０に記憶された残り金額が表示される（ステップＳ４０）。次に設定時間（例えば数秒）が経過すると、室温表示部２０及び目標温度表示部２１において、残り金額の表示が消えて、室温及び目標温度が表示される（ステップＳ４１）。
【００５０】
第１運転モードにおいて、残り金額演算手段２８により、投入された硬貨の金額（投入金額）の検出、記憶部３０に記憶されている残り金額への投入金額の加算、記憶部３０による新たな残り金額の更新及び記憶が行われる。
【００５１】
この場合、第１運転モードにおいて、残り金額演算手段２８により、後述の［８］に記載の消費金額の演算や残り金額から消費金額を差し引く等の処理は行われず、連続して運転状態とすることができる。
【００５２】
以上、本項［６］に記載の状態が、
「残り金額演算手段２８を停止させた状態で、ユーティリティ（ガスＧ）の使用を使用可能量に制限しないという条件下において、温度調節手段（燃焼器２）を作動させる第１運転モード」
に相当する。
【００５３】
［７］
次に、第２運転モードでの運転状態について、図８に基づいて説明する。
第２運転モードを設定した状態において、運転／停止スイッチ１７を押し操作して運転状態とすると、運転制御手段２４により、第１及び第２開閉弁１１，１２が開位置に操作されて、点火器１５により燃焼器２が点火され、モータ６が作動して、温風暖房装置の運転状態となる。
【００５４】
運転状態となると、使用可能量演算手段２９により、記憶部３０に記憶されている残り金額と単価に基づいて、残り金額に相当するガスＧの量が使用可能量として演算される（ステップＳ５１）。
第２運転モードにおいても、第１運転モードと同様に、運転制御手段２４により流量制御弁１０が操作されて、燃焼器２が最大加熱能力で作動するのであり（制御されるのであり）、室温が目標温度になると、室温が目標温度に維持されるように、燃焼器２が作動する（制御される）（ステップＳ５６）。
【００５５】
第２運転モードにおいて、温度設定スイッチ１９の上昇側部分及び下降側部分を押し操作することにより（ステップＳ５２）、目標温度を変更することができるのであり、変更された目標温度が目標温度表示部２１に表示される（ステップＳ５３）。これと同時に、室温センサー２２により室温の検出が行われて（ステップＳ５４）、室温が室温表示部２０に表示される（ステップＳ５５）。
燃焼器２の作動に伴って、検出手段２５により、運転状態となってから経過した時間及び流量制御弁１０の開度に基づいて、ガスＧの消費量が検出され積算される（ステップＳ５７）。
【００５６】
第２運転モードにおいて、モード切換スイッチ３１を押し操作すると（ステップＳ５８）、表示制御手段２６により、室温表示部２０及び目標温度表示部２１に表示される室温及び目標温度が消えて、室温表示部２０及び目標温度表示部２１に、記憶部３０に記憶された残り金額が表示される（ステップＳ６３）。次に設定時間（例えば数秒）が経過すると、残り金額の表示が消えて、室温表示部２０及び目標温度表示部２１に室温及び目標温度が表示される（ステップＳ６４）。
【００５７】
第２運転モードにおいて、投入部３６に硬貨を投入すると（ステップＳ５９）、投入された硬貨の種類及び個数が硬貨検出部３７に検出される。硬貨検出部３７の検出信号に基づいて、残り金額演算手段２８により、投入された硬貨の金額（投入金額）が検出され（ステップＳ６０）、記憶部３０に記憶されている残り金額に投入金額が加算されて（ステップＳ６１）、新たな残り金額が記憶部３０に更新及び記憶される（ステップＳ６２）。
【００５８】
前述のように投入部３６に硬貨を投入すると、表示制御手段２６により、室温表示部２０及び目標温度表示部２１において、室温及び目標温度の表示が消えて、記憶部３０に記憶された残り金額が表示される（ステップＳ６３）。次に設定時間（例えば数秒）が経過すると、室温表示部２０及び目標温度表示部２１において、残り金額の表示が消えて、室温及び目標温度が表示される（ステップＳ６４）。
この場合、第２運転モードでの運転状態において、運転／停止スイッチ１７を押し操作して、第２運転モードでの停止状態にしない限り、第２運転モードでの運転状態は維持される。
【００５９】
［８］
次に、第２運転モードでの停止状態について、図９に基づいて説明する（その１）。
前項［７］に記載の第２運転モードでの運転状態において、運転／停止スイッチ１７を押し操作して停止状態とすると、検出手段２５により検出されたガスＧの消費量及び単価に基づいて、消費金額演算手段２７により、ガスＧの消費金額が演算される（ステップＳ７１）。
【００６０】
残り金額演算手段２８により、残り金額から消費金額が差し引かれて（ステップＳ７２）、新たな残り金額が記憶部３０に更新及び記憶される（ステップＳ７３）。
残り金額が設定金額（少額）よりも高い場合（残り金額が十分に残っている状態）（ステップＳ７４）、表示制御手段２６及び残り金額演算手段２８により、室温表示部２０及び目標温度表示部２１に、記憶部３０に記憶された残り金額が点灯状態で表示される（ステップＳ７５）。
【００６１】
残り金額が設定金額（少額）よりも低い場合（残り金額があまり残っていない状態）（ステップＳ７４）、表示制御手段２６及び残り金額演算手段２８により、室温表示部２０及び目標温度表示部２１に、記憶部３０に記憶された残り金額が点滅状態で表示されるのであり、警告ブザー（図示せず）が作動する（ステップＳ７６）。
【００６２】
ステップＳ７１において、残り金額から消費金額が差し引かれた場合、残り金額よりも消費金額が高く、残り金額がマイナスとなると、表示制御手段２６及び残り金額演算手段２８により、室温表示部２０及び目標温度表示部２１に、残り金額がマイナス表示（例えば残り金額の前に「−」を表示）される（ステップＳ７６）。
ステップＳ７４，Ｓ７５の後において、設定時間（例えば数秒）が経過すると、残り金額の表示が消える（警告ブザーが停止する）（ステップＳ７７）。
【００６３】
［９］
次に、第２運転モードでの停止状態について、図５に基づいて説明する（その２）。
図８のステップＳ５１において、使用可能量演算手段２９により、第２運転モードでの運転状態となったときのガスＧの使用可能量が演算されている。この場合、使用可能量と残り金額とは、同義のパラメータとなる。
【００６４】
第２運転モードでの停止状態となって第２運転モードが維持された場合（ステップＳ６，Ｓ７）、使用可能量が残っていると（使用可能量が零ではないと）（ステップＳ８）、図８に移行して、第２運転モードでの運転状態を再開することができる。
【００６５】
図９のステップＳ７１において、残り金額から消費金額が差し引かれた場合、残り金額よりも消費金額が高く、残り金額がマイナスとなった場合、使用可能量が使い切られた（消費可能量が零になった）ということである（ステップＳ８，Ｓ９）。
【００６６】
これにより、前述の状態において、第２運転モードでの停止状態となって第２運転モードが維持された場合（ステップＳ６，Ｓ７）、運転状態となるのが禁止される（停止状態）（ステップＳ１０）。この運転状態の禁止（停止状態）において、運転／停止スイッチ１７を押し操作しても（ステップＳ１１）、室温表示部２０及び目標温度表示部２１において、残り金額が点滅状態で表示され、設定時間の経過後に残り金額の表示が消えるのであり（ステップＳ１２）、運転状態の禁止（停止状態）は維持される。
【００６７】
この場合、運転状態の禁止（停止状態）において、投入部３６に硬貨を投入すると（ステップＳ１）、ステップＳ２〜Ｓ５（前項［５］参照）が行われるのであり、残り金額が零を越えると（ステップＳ９）、図８に移行して、第２運転モードでの運転状態を再開することができる。
【００６８】
以上、前項［８］及び本項［９］に記載の状態が、
「残り金額演算手段２８を作動させた状態で、ユーティリティ（ガスＧ）の使用を使用可能量に制限するという条件下において、温度調節手段（燃焼器２）を作動させる第２運転モード」
「第２運転モードにおいて、残り金額が零以下になっても温度調節手段（燃焼器２）の作動の継続を許容し、温度調節手段（燃焼器２）の再作動を禁止することを、ユーティリティ（ガスＧ）の使用を使用可能量に制限するという条件としている状態」
「第２運転モードにおいて、使用者により温度調節手段（燃焼器２）が停止された場合、表示手段（室温表示部２０及び目標温度表示部２１、表示制御手段２６）は、残り金額の表示を設定時間だけ維持し、設定時間が経過すると残り金額の表示を停止する状態」
に相当する。
【００６９】
［１０］
次に、第３運転モードについて、図５に基づいて説明する。
第３運転モードを設定した状態において、運転／停止スイッチ１７を押し操作して運転状態とすると、運転制御手段２４により、第１及び第２開閉弁１１，１２が開位置に操作されて、点火器１５により燃焼器２が点火され、モータ６が作動して、温風暖房装置の運転状態となる。
【００７０】
第３運転モードでは、第２運転モードと同様に、図８のステップＳ５１〜Ｓ６４及び図９のステップＳ７１〜Ｓ７７が行われる（前項［７］［８］参照）。
第３運転モードでの運転状態において、運転／停止スイッチ１７を押し操作して、第３運転モードでの停止状態にしない限り、第３運転モードでの運転状態は維持される。
第３運転モードでの停止状態となって第３運転モードが維持された場合（ステップＳ６，Ｓ７）、使用可能量及び残り金額に関係なく、図８に移行して、第３運転モードでの運転状態を再開することができる。
【００７１】
第３運転モードでの停止状態となって第３運転モードが維持された状態において（ステップＳ６，Ｓ７）、残り金額よりも消費金額が高く、残り金額がマイナスとなっていた場合（図９のステップＳ７１〜Ｓ７７）、投入部３６に硬貨を投入すると（ステップＳ１３）、ステップＳ２〜Ｓ５（前項［５］参照）と同様なステップＳ１４〜Ｓ１７が行われるのであり、残り金額が零を越えると（ステップＳ１８）、第３運転モードから第２運転モードに自動的に切り換えられ（ステップＳ１８，Ｓ１９），図８に移行して、第２運転モードでの運転状態を再開することができる。
【００７２】
以上、本項［１０］に記載の状態が、
「残り金額演算手段２８を作動させた状態で、ユーティリティ（ガスＧ）の使用を使用可能量に制限しないという条件下において、温度調節手段（燃焼器２）を作動させる第３運転モード」
に相当する。
【００７３】
［発明の実施の第１別形態］
前述の［発明を実施するための形態］において、図８に示す第２運転モードでの運転状態に代えて、第２運転モードでの運転状態を図１０に示すように構成してもよい。
図１０においては、図８のステップＳ５１〜Ｓ６４に対して、ステップＳ６５〜Ｓ７０が追加されている。
【００７４】
使用可能量演算手段２９により、記憶部３０に記憶されている残り金額と単価に基づいて、残り金額に相当するガスＧの量が使用可能量として演算された状態において（図８のステップＳ５１）、燃焼器２の作動に伴って、検出手段２５により、運転状態となってから経過した時間及び流量制御弁１０の開度に基づいて、ガスＧの消費量が検出され積算される（ステップＳ５７）。
【００７５】
この場合、使用可能量と残り金額とは同義のパラメータとなる。これにより、
検出手段２５により検出されたガスＧの消費量及び単価に基づくガスＧの消費金額の演算（消費金額演算手段２７）（ステップＳ６５）、
残り金額から消費金額の差し引き（残り金額演算手段２８）（ステップＳ６６）、
新たな残り金額の記憶部３０での更新及び記憶（残り金額演算手段２８）（ステップＳ７６）、
残り金額が零に達したか否かの検出（ステップＳ６８）、
が常時行われる。
【００７６】
以上の状態において、残り金額が零に達すると（ステップＳ６８）、表示制御手段２６により、室温表示部２０及び目標温度表示部２１において、零「００００」が点滅状態で表示されて、警告ブザーが作動するのであり（ステップＳ６９）、設定時間の経過後に、零の表示が消えて、警告ブザーが停止し（ステップＳ７０）、自動的に第２運転モードでの停止状態となる。
【００７７】
この後、図５に移行する。投入部３６に硬貨を投入すると（ステップＳ１）、ステップＳ２〜Ｓ５（前項［５］参照）が行われるのであり、残り金額が零を越えると（ステップＳ９）、図１０に移行して、第２運転モードでの運転状態を再開することができる。
【００７８】
以上、本項［発明の実施の第１別形態］に記載の状態が、
「第２運転モードにおいて、残り金額が零になると温度調節手段（燃焼器２）を停止させることを、ユーティリティ（ガスＧ）の使用を使用可能量に制限するという条件としている状態」
に相当する。
【００７９】
［発明の実施の第２別形態］
前述の［発明を実施するための形態］の第２運転モードでの運転状態において、投入部３６への硬貨の投入が行われる毎に、図８のステップＳ５９〜Ｓ６４及び図９のステップＳ７４，Ｓ７５，Ｓ７６が行われるように構成し、ガスＧの消費量の検出に基づいて、図９のステップＳ７１〜Ｓ７６が常時行われるように構成して、投入部３６への硬貨の投入及びガスＧの消費量の検出により、室温表示部２０及び目標温度表示部２１において、残り金額の表示が刻々と変化するように構成してもよい。
【００８０】
前述の［発明の実施の第１別形態］の第２運転モードでの運転状態において、投入部３６への硬貨の投入が行われる毎に、図１０のステップＳ５９〜Ｓ６４及び図９のステップＳ７４，Ｓ７５，Ｓ７６が行われるように構成し、ガスＧの消費量の検出に基づいて、図９のステップＳ７４，Ｓ７５，Ｓ７６が常時行われるように構成して、投入部３６への硬貨の投入及びガスＧの消費量の検出により、室温表示部２０及び目標温度表示部２１において、残り金額の表示が刻々と変化するように構成してもよい。
【００８１】
この場合、室温表示部２０及び目標温度表示部２１において、以下の（１）（２）に記載のように構成すればよい。
（１）
設定時間が経過するごとに、室温及び目標温度の表示と残り金額の表示とが交互に行われるように構成する。
（２）
運転状態の最初に、室温及び目標温度を設定時間だけ表示し、これ以降は残り金額を表示する。残り金額が表示された状態で、温度設定スイッチ１９の上昇側部分及び下降側部分を押し操作すると、室温及び変更された目標温度を設定時間だけ表示し、残り金額が表示される状態に復帰する。
【００８２】
［発明の実施の第３別形態］
前述の［発明を実施するための形態］［発明の実施の第１別形態］［発明の実施の第２別形態］において、貯留部３８に貯留された金額の総額を室温表示部２０及び目標温度表示部２１に表示させる貯金総額表示モードを備えてもよい。
【００８３】
［発明の実施の第４別形態］
前述の［発明を実施するための形態］［発明の実施の第１別形態］〜［発明の実施の第３別形態］において、第３運転モードを備えないように構成してもよい。
【００８４】
［発明の実施の第５別形態］
前述の［発明を実施するための形態］［発明の実施の第１別形態］〜［発明の実施の第４別形態］において、以下のように残り金額を演算してもよい。
投入部３６に投入された硬貨の金額を検出及び積算して、硬貨の金額の総積算値を得るのであり、同様にガスＧの消費量に基づく消費金額を検出及び積算して、消費金額の総積算値を得る。残り金額演算手段２８により、硬貨の金額の総積算値から消費金額の総積算値を差し引くことによって、残り金額を得る。
【００８５】
［発明の実施の第６別形態］
前述の［発明を実施するための形態］［発明の実施の第１別形態］〜［発明の実施の第５別形態］において、投入部３６を、硬貨ばかりではなく硬貨及び紙幣を投入できるように構成して、残り金額演算手段２８により、投入された硬貨及び紙幣の金額（投入金額）が検出されるように構成してもよい。
【００８６】
なお、上記実施形態（別実施形態を含む。以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００８７】
本発明は、ガスＧを使用する暖房装置ばかりではなく、ユーティリティとして灯油を使用する暖房装置や、ユーティリティとしてガスＧや電気を使用する冷房装置にも適用できる。
【符号の説明】
【００８８】
２                温度調節手段
２０，２１，２６  表示手段
２５              検出手段
２７              消費金額演算手段
２８              残り金額演算手段
２９              使用可能量演算手段
３１，３２        選択部
３６              投入部
３８              貯留部
Ｇ                ユーティリティ
【図１】
2017156022.tif 000003
【図２】
2017156022.tif 000004
【図３】
2017156022.tif 000005
【図４】
2017156022.tif 000006
【図５】
2017156022.tif 000007
【図６】
2017156022.tif 000008
【図７】
2017156022.tif 000009
【図８】
2017156022.tif 000010
【図９】
2017156022.tif 000011
【図１０】
2017156022.tif 000012